(57)【要約】【課題】座布団を冷えた場所に置いても、座り心地良く、健康に悪影響を与えることなく、使用できるようにする。【解決手段】座布団又は座布団構成素材を出し入れする出し入れ口７と、座布団又は座布団構成素材を収容する内部空間を有する袋状又は筒状にする。そして、その構成材として、多数の独立気泡を有し、柔軟性のあるプラスチック発泡体を用い、外表面のほぼ全域に多数の突部３を分散配設する。又、その分散配設した多数の突部間にできる凹所４の各交差箇所に内外貫通穴５を夫々設ける。又、その出し入れ口７の縁部に、出し入れ口７の開度を小さくする方向に突出する閉鎖用突条６又は突起を設ける。【選択図】  図１
2009247584.tif 000002
【特許請求の範囲】
【請求項１】
座布団又は座布団構成素材を出し入れする出し入れ口と座布団又は座布団構成素材を収容する内部空間を有する袋状又は筒状の座布団用カバーであって、上記カバーを多数の独立気泡を有し、柔軟性のあるプラスチック発泡体を用いて形成し、そのプラスチックカバーの外表面のほぼ全域に多数の突部を分散配設することを特徴とする座布団用プラスチックカバー。
【請求項２】
外表面に分散配設した多数の突部間にできる凹所の各交差箇所に内外貫通孔を夫々設けることを特徴とする請求項１記載の座布団用プラスチックカバー。
【請求項３】
座布団又は座布団構成素材出し入れ口の縁部に、その出し入れ口の開度を小さくする方向に突出する閉鎖用突条又は突起を設けることを特徴とする請求項１又は２記載の座布団用プラスチックカバー。
【発明の詳細な説明】
【技術分野】
【０００１】
本発明は、座布団又は座布団構成素材を内部に収容して使用する座布団用のプラスチックカバーに関する。
【背景技術】
【０００２】
従来、座布団は中に入れる素材として、一般的にウレタン、綿等のクッション材を用い、その素材を布地で被ったものが使用されてきた。しかし、他に座布団の素材として、略Ｕ字状あるいはＶ字状の格子状に連続して形成された溝を有する古紙等から形成されてなるパルプモールドを用いて、その周囲をフィルム、布等のカバー材で被ったものが、素材に凹凸があるため、断熱効果も上がり、座り心地が良く、健康にも良い、として提示されている。又、座布団の素材として、ポリオレフィン系樹脂等の独立気泡を有するプラスチック発泡体を用い、その発泡体を布帛、不織布その他のシート材からなる袋状のカバーに収納したものが、独立気泡を有するために、弾力性とともに強靭性にも優れており、人が座った場合の荷重を受けても容易に潰れず、厚みをそれほど大きくしなくとも、適度の緩衝性やクッション性および断熱性を保有する、として提示されている。
【特許文献１】実開平５−７４３５１号
【特許文献２】実用新案登録第３０２０８２６号
【発明の開示】
【発明が解決しようとする課題】
【０００３】
しかしながら、このような座布団はいずれも素材が異なるため、素材の性質に応じて通年使用するよりも、夫々使用に適した季節があると言える。しかも、素材を布帛、不織布、その他のシート材（フィルム）からなる一般的なカバー材で被うものであるため、素材が有する優れた性質をカバーにより妨げられており、最適な季節に使用しても、座布団として素材の有する優れた性質を十分に発揮できない。例えば、車の座席に布で綿等の素材を被った座布団を使用する場合、冬期の早朝等では運転を開始する際に腰掛けた時、座布団表面の断熱性が低いため、その座布団によって体温が急激に大量に奪われる。それ故、極端に冷たさを感じ易く、座り心地が悪くて、健康に悪影響を与えるという問題がある。
【０００４】
本発明は、このような従来の問題点に着目してなされたものであり、座布団を冷えた場所に置いても、座り心地良く、健康に悪影響を与えることなく使用できる座布団用プラスチックカバーを提供することを目的とする。
【課題を解決するための手段】
【０００５】
上記目的を達成するために、本発明による座布団用プラスチックカバーは、座布団又は座布団構成素材を出し入れする出し入れ口と座布団又は座布団構成素材を収容する内部空間を有する袋状又は筒状の座布団用カバーにする。そして、上記カバーを多数の独立気泡を有し、柔軟性のあるプラスチック発泡体を用いて形成し、そのプラスチックカバーの外表面のほぼ全域に多数の突部を分散配設する。
【０００６】
又、上記外表面に分散配設した多数の突部間にできる凹所の各交差箇所に内外貫通孔を夫々設けると好ましくなる。
【０００７】
又、上記座布団又は座布団構成素材出し入れ口の縁部に、その出し入れ口の開度を小さくする方向に突出する閉鎖用突条又は突起を設けるとよい。
【発明の効果】
【０００８】
本発明による座布団用プラスチックカバーは、袋状又は筒状であり、座布団又は座布団構成素材を出し入れする出し入れ口と座布団又は座布団構成素材を収容する内部空間を有していることにより、座布団又は座布団構成素材を出し入れ口から入れて、内部空間に収容すると、簡単に座布団を製作できる。そして、プラスチックカバーを多数の独立気泡を有し、柔軟性のあるプラスチック発泡体を用いて形成すると、優れた弾力性、強靭性、クッション性、断熱性等を発揮できる。又、そのプラスチックカバーの外表面のほぼ全域に多数の突部を分散配設すると、それ等の突部により突部間に凹所ができるため、腰掛けた時、臀部が当接する当接面にある多数の突部に荷重が加わり、臀部から湿気が発散し汗が出ても、各突部の周囲に夫々凹所があり、その凹所を通じて空気が流れ易くなっているので、湿気や汗が当接面から他に移動し易い。それ故、臀部の当接面に湿気や汗が溜まり難い。
【０００９】
しかも、カバーの肉厚が各突部箇所より各凹所箇所で薄く、各凹所箇所が屈曲し易いため、臀部を移動させても、臀部の当接面を取り囲む直近の凹所箇所で常に屈曲が発生し、当接面が周囲にある非当接面より若干凹んで、臀部の最下部付近がクッション性、断熱性等に優れたプラスチック発泡体により絶えず良好に包まれる。それ故、このようなプラスチックカバー付き座布団を冷えた場所に置いても、腰掛けた時に臀部の体温が座布団へ急激に大量に奪われることなく、極端な冷たさを感じずに済み、座り心地が良い。そして、長時間使用し続けても当接面に湿気や汗が溜まり難く、座り心地の良い状態が持続するので、健康上に適している。
【００１０】
又、上記外表面に分散配設した多数の突部間にできる凹所の各交差箇所に内外貫通孔を夫々設けることにより、臀部の当接面を取り囲む直近の凹所箇所が一層屈曲し易くなるため、臀部の最下部付近がプラスチック発泡体により一層良好に包まれる。しかも、各内外貫通孔を通じて更に空気が流れ易くなるため、臀部から発散する湿気や汗がカバーの臀部当接面に一層溜まり難くなる。当然、プラスチックカバー内に収容した座布団又は座布団構成素材の通気性が保てて湿気等が溜まり難く、座布団の膨らみを保持できる。
【００１１】
又、上記座布団又は座布団構成素材出し入れ口の縁部に、その出し入れ口の開度を小さくする方向に突出する閉鎖用突条又は突起を設けることにより、口縁部に閉鎖用突条又は突起を設けておいても、プラスチックカバーに力を加えて口を大きく開けると、その突条又は突起がそれ程邪魔にならず、出し入れ口から座布団又は座布団構成素材の出し入れを簡単に行える。そして、座布団又は座布団構成素材を内部空間に収容した後、力を抜くと、プラスチック発泡体の弾力性により口が小さく閉じると共に、口縁部に設けられている閉鎖用突条又は突起が更に口を小さくする。それ故、使用中臀部を移動しても、プラスチックカバー中に収容してある座布団又は座布団構成素材が、出し入れ口に設けられている閉鎖用突条又は突条に妨げられて外部に抜け出さず、内部に保持されるため好都合となる。
【発明を実施するための最良の形態】
【００１２】
以下、添付の図１〜３を参照して、本発明の実施の最良形態を説明する。
図１は本発明を適用した座布団用の袋状プラスチックカバーの斜視図、図２はそのプラスチックカバーの構成に用いる単位部材の平面図、及び第３図はそのプラスチックカバーに座布団を収容したプラスチックカバー付き座布団の座布団収容状態を示す図１のＸ−Ｘ線位置に対応する断面図である。
この座布団用プラスチックカバー１は、製作時にカバー材として多数の独立気泡を有し、柔軟性のあるプラスチック発泡体、例えば独立気泡を高密度に有する高発泡ポリエチレン板を用いる。なお、独立気泡を高密度に有する高発泡ポリオレフィン板等の独立気泡を有し、柔軟性のあるその他のプラスチック発泡体を用いることもできる。そして、プラスチックカバー１を袋状に形成するため、例えば２枚の板状単位部材２(２ａ、２ｂ)を用意する。
【００１３】
この単位部材２はプラスチックカバー１のほぼ半分を構成するものであり、例えば１辺の長さを４６ｃｍの正方形にして、そのベースを３．５ｍｍの均等肉厚にし、そのベースの片面に４辺の各縁部をいずれも１．２５ｃｍ幅だけ空けて、その中央部に６４個の突部を８行８列に均等分散し、格子状に配設する。その際、各突部３をいずれもベースより３．５ｍｍ突出させ、その最突出面を１辺の長さが５ｃｍの正方形にすると共に、隣接する突部３の間の距離を５ｍｍにする。すると、単位部材２の片面に広く分散配設した６４個の突部３の間に格子状に配設した５ｍｍ幅の凹所４ができる。
【００１４】
そこで、単位部材２の片面に配設した格子状凹所４の各交差箇所に、直径５ｍｍの両面を貫く貫通孔５を夫々設ける。又、他面の１辺縁部に両端部を夫々２ｃｍ空けて、その縁部に沿う突条６をベースより先端までの長さを２．５ｍｍ幅にして連続的に突出させる。その際、突条６の断面形状を例えば大略二等辺三角形状にし、そのベース側より先端側を狭くして前後に傾斜面を設けて座布団９を出し入れし易くする。尤も、突条を連続的に設けず、不連続的に設けてもよい。
【００１５】
このような単位部材２は多数枚取りできる大きな板を一体成形した後に、単位部材２毎に切断して使用するとよい。そして、プラスチックカバー１の製作毎に、２枚の単位部材２をいずれも突部成形面を外側に向けて一致させて重ね合せ、突条６を設けた１辺を除く３辺縁部を夫々３．５ｍｍ幅だけ熱溶着又は接着して結合する。すると、座布団を出し入れする出し入れ口７と座布団を収容する内部空間８を有する袋状の平たい上下左右対称の座布団用プラスチックカバー１が完成する。なお、突条６は出し入れ口７の開度を小さくする方向に突出するので、閉鎖用突条６となる。
【００１６】
使用時、平たいプラスチックカバー１の内部空間８に座布団９を収容するため、力を加えて口７を大きく開ける。すると、口縁部に閉鎖用突条６を設けておいても、その突条６が邪魔とならず、座布団９を口７から簡単に入れて内部空間８に収容できる。その後、力を抜くと、プラスチック発泡体の弾力性により口７が小さく閉じて行き、閉鎖用突条６が更にその口７を小さくする。それ故、一定の脹らみを有するプラスチックカバー付き座布団１０を簡単に製作できる。しかも、このプラスチックカバー１は構成材として多数の独立気泡を有し、柔軟性のあるプラスチック発泡体を用いることにより、厚みが薄くても優れた弾力性、強靭性、クッション性、断熱性等を発揮できる。そして、プラスチックカバー１を大きくする程、収容できる座布団の大きさを選択し易くなる。なお、１１は座布団９の中身となる綿等のクッション材、１２は布等のカバー材である。
【００１７】
このようなプラスチックカバー付き座布団１０を冬期の運転席に使用する場合、プラスチックカバー１の外表面のほぼ全域に多数の突部３を格子状に並べて分散配設しておくと、それ等の突部３により突部間に格子状に配置された凹所４ができて、プラスチックカバー１の肉厚が各突部３の箇所より各凹所４の箇所で薄く、各凹所箇所が屈曲し易くなっているため、腰掛けた時、臀部が当接する当接面が周囲にある非当接面より若干凹んで、臀部の最下部付近がクッション性、断熱性等に優れたプラスチック発泡体により良好に包まれる。それ故、冷えた場所に置いたプラスチックカバー付き座布団１０に腰掛けても、臀部の体温が座布団へ急激に大量に奪われることなく、極端な冷たさを感じずに済み、座り心地が良い。又、臀部を移動させても、臀部の当接面を取り囲む直近の凹所箇所で常に屈曲が発生し、当接面が周囲にある非当接面より若干凹んで、臀部の最下部付近がやはりクッション性、断熱性等に優れたプラスチック発泡体により良好に包まれる。
【００１８】
そして、長時間使用し続けて、臀部の当接面にある多数の突部３に荷重が加わり、臀部から湿気が発散し汗が出ても、各突部の周囲に凹所が夫々あり、格子状凹所４を通じて空気が流れ易くなっているので、湿気や汗が当接面から他に移動し易い。それ故、臀部の当接面に湿気や汗が溜まり難く、クッション性、断熱性等を保てるので、座り心地の良い状態が持続でき、健康上に適している。なお、各突部３にも当然多数の独立気泡が夫々存在する。
【００１９】
しかも、このようなプラスチックカバー１は外表面に分散配設した多数の突部３の間にできる格子状凹所４の各交差箇所に、内外貫通孔５を夫々設けておくと、臀部の当接面を取り囲む直近の凹所箇所が一層屈曲し易くなるため、臀部の最下部付近がプラスチック発泡体により一層良好に包まれる。そして、各内外貫通孔５を通じて更に空気が流れ易くなるため、臀部から発散する湿気や汗がプラスチックカバー１の臀部当接面に一層溜まり難くなる。当然、プラスチックカバー１の内部に収容した座布団９の通気性を保てるので、座布団９に湿気等が溜まり難く、座布団９の膨らみを保持し易い。それ故、プラスチックカバー付き座布団１０のクッション性、断熱性等を良好に保持でき、座り心地の良い状態を一層持続できて、健康上に適している。そして、使用中臀部を移動しても、プラスチックカバー１の内部に収容してある座布団９が、出し入れ口７に設けられている閉鎖用突条６に妨げられて外部に抜け出さず、内部に保持されるため好都合となる。なお、使用後に座布団９を取り出す場合、プラスチックカバー１に力を加えて口を大きく開けると、口縁部に閉鎖用突条６を設けておいても、その突条６がそれ程邪魔にならず、座布団９を簡単に取り出すことができる。
【００２０】
上記実施の形態では、プラスチックカバー１の内部に座布団９を収容して、プラスチックカバー付き座布団１０を製作する場合について説明したが、そのカバー１の出し入れ口７からウレタンスポンジ、不要になったマフラー等の任意の座布団構成素材を入れて内部空間８に収容することにより、プラスチックカバー付き座布団を構成することもできる。
【００２１】
又、上記実施の形態では、座布団９又は座布団構成素材出し入れ口７の縁部に、その出し入れ口７の開度を小さくする方向に突出する閉鎖用突条６を設ける場合について説明したが、その出し入れ口７の縁部に突条６に替えて適宜数の閉鎖用突起を設けることもできる。
【００２２】
又、上記実施の形態では、プラスチックカバー１を袋状にする場合について説明したが、そのカバーを筒状にして、出し入れ口を２箇所設け、各出し入れ口の縁部に閉鎖用突条又は突起を夫々設けることもできる。
【００２３】
又、上記実施の形態では、多数枚取りできる大きな板を一体成形した後に、単位部材２毎に切断し、その単位部材２を２枚一致させて重ね合せ、その３辺縁部又は２辺縁部を結合し、袋状又は筒状に形成して、プラスチックカバー１等を製作する場合について説明したが、単位部材を２枚分の大きさ毎に切断し、その接続辺の箇所で２つに折り曲げて重ね合せ、他の２辺縁部又は１辺縁部を結合し、袋状又は筒状に形成して、プラスチックカバーを製作することもできる。当然、その他の製法によって本発明のプラスチックカバーを製作してもよい。
【図面の簡単な説明】
【００２４】
【図１】本発明を適用した座布団用の袋状プラスチックカバーの斜視図である。
【図２】同プラスチックカバーの構成に用いる単位部材の平面図である。
【図３】同プラスチックカバーに座布団を収容したプラスチックカバー付き座布団の座布団収容状態を示す図１のＸ−Ｘ線位置に対応する断面図である。
【符号の説明】
【００２５】
１…座布団用プラスチックカバー  ２…単位部材  ３…突部  ４…凹所  ５…内外貫通穴  ６…閉鎖用突条  ７…出し入れ口  ８…内部空間  ９…収容座布団  １０…プラスチックカバー付き座布団
【図１】
2009247584.tif 000003
【図２】
2009247584.tif 000004
【図３】
2009247584.tif 000005